(57)【要約】【課題】歩行者を引き留める効果の高い表示をして、赤信号時に横断歩道等に進入することを抑制するサインポールを提供する。【解決手段】サインポール１０を、交通信号機３０と接続され、表示される情報が記憶される制御手段２１と、制御手段２１と接続され制御手段２１に記憶された情報を表示する表示手段２６と、を備える構成とする。赤信号のときに表示される赤信号用情報Ｘと、青信号のときに表示される青信号用情報Ｙと、を有する構成とする。制御手段２１は、交通信号機３０から赤信号の信号を受信すると、表示手段２６に赤信号用情報Ｘを表示させ、交通信号機３０から青信号の信号を受信すると、表示手段２６に赤信号用情報Ｘとは異なる青信号用情報Ｙを表示させる。【選択図】図１
2015114850.tif 000002
【特許請求の範囲】
【請求項１】
道路や敷地の境界部分において仕切り又は車止めとして立設されるサインポールであって、
交通信号機と接続され、表示される情報が記憶される制御手段と、前記制御手段と接続され前記制御手段に記憶された前記情報を表示する表示手段と、を備え、
前記情報は、赤信号のときに表示される赤信号用情報と、青信号のときに表示される青信号用情報と、を有する構成とされ、
前記制御手段は、前記交通信号機から赤信号の信号を受信すると、前記表示手段に前記赤信号用情報を表示させ、前記交通信号機から青信号の信号を受信すると、前記表示手段に前記赤信号用情報とは異なる前記青信号用情報を表示させることを特徴とするサインポール。
【請求項２】
前記制御手段は、外部から災害発生の信号を受信可能とされ、外部から災害発生の信号を受信したときに、前記情報の代わりに災害発生情報を表示させることを特徴とする請求項１記載のサインポール。
【請求項３】
前記赤信号用情報が、広告、行政情報、又は映像コンテンツであることを特徴とする請求項１又は２記載のサインポール。
【請求項４】
前記情報は、青点滅信号のときに表示される青点滅信号用情報を有する構成とされ、
前記制御手段は、前記交通信号機から青点滅信号の信号を受信すると、前記表示手段に少なくとも前記青信号用情報とは異なる前記青点滅信号用情報を表示させることを特徴とする請求項１、２又は３記載のサインポール。
【請求項５】
複数の前記赤信号用情報が制御手段に記憶され、
前記制御手段は、前記交通信号機から赤信号の信号を受信した時、又は当該時から所定時間経過した時を基準時として、前記基準時から前記表示手段に一の前記赤信号用情報を表示させ、前記基準時から所定時間経過した後に、前記表示手段に一の前記赤信号用情報とは異なる他の前記赤信号用情報を表示させることを特徴とする請求項１、２、３又は４記載のサインポール。
【請求項６】
一の前記赤信号用情報と、他の前記赤信号用情報とが、内容的に関連していることを特徴とする請求項５記載のサインポール。
【請求項７】
一の前記赤信号用情報が問題であり、
他の前記赤信号用情報が、前記問題に対する解答であることを特徴とする請求項６記載のサインポール。
【請求項８】
一の前記赤信号用情報が道路、施設、建物等の位置情報であり、
他の前記赤信号用情報が、前記位置情報に関する案内情報であることを特徴とする請求項６記載のサインポール。
【請求項９】
一の前記赤信号用情報がイベントの告知情報であり、
他の前記赤信号用情報が、前記イベントのプログラム情報であることを特徴とする請求項６記載のサインポール。
【発明の詳細な説明】
【技術分野】
【０００１】
本発明は、道路や敷地の境界部分において仕切り又は車止めとして立設されるサインポールに関する。
【背景技術】
【０００２】
従来の交通信号補助用発光装置として特許文献１に記載されるものがあった。これによれば、交通信号補助用発光装置は、発光体ユニットと、発光装置制御盤と、を有し、道路付帯施設等に発光体ユニットが取り付けられ、発光装置制御盤は、交通信号機制御盤と接続され、歩行者信号機の作動プログラムに対応して発光ユニットが発光表示をするように構成されていた。
【０００３】
歩行者信号機の表示が青から青点滅に変わるときに、発光体ユニットが赤の小サイクルでの点滅発光し、歩行者信号機の表示が赤を経て青に変わるときに、発光体ユニットが消灯して、運転者や、歩行者への注意喚起、危険予告をするものとされていた。
【先行技術文献】
【特許文献】
【０００４】
【特許文献１】特開２００２−８１９２号公報
【発明の概要】
【発明が解決しようとする課題】
【０００５】
しかし、上記の交通信号補助用発光装置では、単調な赤の小サイクルでの点滅発光による、注意喚起、危険予告であり、意味、内容を持つものではないため、歩行者を引き留める効果に乏しく、歩行者が赤信号時に横断歩道等に進入してしまうおそれがあった。
【０００６】
そこで、本発明は、上記事情に鑑み、歩行者を引き留める効果の高い表示をして、赤信号時に横断歩道等に進入することを抑制するサインポールを提供することを目的とする。
【課題を解決するための手段】
【０００７】
請求項１記載の発明は、道路や敷地の境界部分において仕切り又は車止めとして立設されるサインポールであって、交通信号機と接続され、表示される情報が記憶される制御手段と、制御手段と接続され制御手段に記憶された情報を表示する表示手段と、を備え、情報は、赤信号のときに表示される赤信号用情報と、青信号のときに表示される青信号用情報と、を有する構成とされ、制御手段は、交通信号機から赤信号の信号を受信すると、表示手段に赤信号用情報を表示させ、交通信号機から青信号の信号を受信すると、表示手段に赤信号用情報とは異なる青信号用情報を表示させることとしている。
【０００８】
これにより、歩行者に対して、意味、内容を持たない点滅発光ではなく、何らかの意味、内容をもつ情報が表示されることになるので、歩行者歩行者を引き留める効果が高くなり、赤信号時に横断歩道等に進入することを抑制することができる。さらに、赤信号のときに表示される赤信号用情報と、青信号のときに表示される青信号用情報とが異なるので、信号が切り替わったことがわかりやすくなり、適切に歩行者の横断、信号待ちを補助することができる。
【０００９】
また、制御手段を、外部から災害発生の信号を受信可能とし、外部から災害発生の信号を受信したときに、情報の代わりに災害発生情報を表示させることとすれば、上記効果に加え、避難誘導を円滑に行なうことができる。
【００１０】
また、赤信号用情報を、広告、行政情報、又は映像コンテンツとすれば、歩行者の関心を引くことができるので、赤信号時に歩行者を引き留めることができる。
【００１１】
また、情報は、青点滅信号のときに表示される青点滅信号用情報を有する構成とされ、制御手段は、交通信号機から青点滅信号の信号を受信すると、表示手段に少なくとも青信号用情報とは異なる青点滅信号用情報を表示させることとしてもよい。
【００１２】
これによれば、青点滅信号のときに、少なくとも青信号用情報とは異なる青点滅信号用情報が表示され、歩行者が青信号から赤信号に切り替わることを認識できるので、赤信号時に横断歩道等に進入することを抑制することに寄与する。
【００１３】
また、複数の赤信号用情報が制御手段に記憶され、制御手段は、交通信号機から赤信号の信号を受信した時、又は当該時から所定時間経過した時を基準時として、基準時から表示手段に一の赤信号用情報を表示させ、基準時から所定時間経過した後に、表示手段に一の赤信号用情報とは異なる他の赤信号用情報を表示させることとしてもよい。
【００１４】
これにより、基準時から所定時間経過した後に、一の赤信号用情報とは異なる他の赤信号用情報を表示させることにより、歩行者を飽きさせずに関心をひき続けることになるため、歩行者を引き留めることができる。
【００１５】
また、一の赤信号用情報と、他の赤信号用情報とを、内容的に関連させれば、歩行者の関心を強く引き付けることに寄与する。
【００１６】
また、一の赤信号用情報を問題とし、他の赤信号用情報を、問題に対する解答とすれば、歩行者が問題を解こうとするので、歩行者を引き留める効果を高めることができる。
【００１７】
また、一の赤信号用情報を道路、施設、建物等の位置情報とし、他の赤信号用情報を、位置情報に関する案内情報とすることによっても、歩行者の関心を引いて続きを見たいと思わせることができるので、歩行者を引き留める効果を高めることができる。
【００１８】
また、一の赤信号用情報をイベントの告知情報とし、他の赤信号用情報を、イベントのプログラム情報とすることによっても、歩行者の関心を引いて続きを見たいと思わせることができるので、歩行者を引き留める効果を高めることができる。
【図面の簡単な説明】
【００１９】
【図１】本発明における一実施形態のサインポールが設置された状態を示し、（ａ）は赤信号、（ｂ）青信号のときの概略説明図である。
【図２】同実施形態のサインポールの（ａ）は正面図、（ｂ）は側面図、（ｃ）は背面図、（ｄ）は取り外した蓋部材の背面図である。
【図３】同実施形態のサインポールの概略回路図である。
【図４】同実施形態のサインポールの（ａ）は赤信号用情報Ｘ、青信号用情報Ｙの表示パターン、（ｂ）は赤信号用情報Ｘ、青信号用情報Ｙ、青点滅信号用情報Ｚの表示パターン、（ｃ）は赤信号用情報Ｘ１、Ｘ２、青信号用情報Ｙの表示パターン、（ｄ）は赤信号用情報Ｘ１、Ｘ２、青信号用情報Ｙ、青点滅信号用情報Ｚの表示パターンの説明図である。
【図５】青信号用情報Ｙの表示例である。
【図６】赤信号用情報Ｘの表示例である。
【図７】赤信号用情報Ｘの表示例である。
【図８】赤信号用情報Ｘの表示例である。
【図９】（ａ）は赤信号用情報Ｘの表示例であり、（ｂ）は青信号用情報Ｙの表示例である。
【図１０】動画で表示する場合の赤信号用情報Ｘの表示例であり、（ａ）は開始画面であり、（ｂ）は中間時の画面であり、（ｃ）は終了時の画面である。
【図１１】（ａ）は赤信号用情報Ｘ１の表示例であり、（ｂ）は赤信号用情報Ｘ２の表示例である。
【図１２】（ａ）は赤信号用情報Ｘ１の表示例であり、（ｂ）は赤信号用情報Ｘ２の表示例である。
【図１３】（ａ）は赤信号用情報Ｘ１の表示例であり、（ｂ）は赤信号用情報Ｘ２の表示例である。
【図１４】青点滅信号用情報Ｚの表示例である。
【図１５】サインポールの変形例の（ａ）は正面図、（ｂ）は側面図、（ｃ）は背面図、（ｄ）は取り外した蓋部材の背面図である。
【図１６】サインポールの変形例の（ａ）は正面図、（ｂ）は側面図、（ｃ）は背面図、（ｄ）は取り外した蓋部材の背面図である。
【発明を実施するための形態】
【００２０】
本発明におけるサインポールの一実施形態を図面に基づいて説明する。以下の説明では、図１における上下を上下方向、左右を左右方向、とする。
【００２１】
サインポール１０は、図１、２に示すように、合成樹脂製で、本体部１１と、基部１２と、を有し、本体部１１内に表示ユニット２０が配置されている。
【００２２】
本体部１１は、上側が閉塞し下側が開放した四角筒状に形成されている。前壁１１ａの上部には矩形状の前開口部１１ｂが設けられている。
【００２３】
後壁１１ｃの中央上寄りには、前開口部１１ｂより大きい矩形状の後開口部１１ｄが設けられている。後開口部１１ｄには、後開口部１１ｄを塞ぎ可能な蓋部材１３が本体部１１に対して着脱可能に配設されている。
【００２４】
基部１２は、平面視において本体部１１よりサイズの大きい矩形平板状に形成され、本体部１１の下側を閉塞するように配設され、四隅部分に図示しない孔がそれぞれ設けられ、図示しないアンカーボルト等を用いて設置場所Ｇに固定可能とされている。
【００２５】
表示ユニット２０は、図２、３に示すように、制御手段２１と、表示手段２６と、を有して直方体状に形成され、前開口部１１ｂを塞ぐように配置されている。
【００２６】
サインポール１０の作動回路について説明する。サインポール１０の作動回路は、交通信号機３０と接続される制御手段２１と、制御手段２１と接続される表示手段２６と、を備えている。
【００２７】
制御手段２１は、受信部２２と、記憶部２３と、表示制御部２４と、電源部２５と、を有している。
【００２８】
受信部２２は、交通信号機３０と交通信号機３０の制御回路３１との中間部分に接続され、交通信号機３０から発信される信号を受信可能とされている。また、災害情報センター３５とも接続され、災害発生の信号を受信可能とされている。
【００２９】
記憶部２３には、赤信号のときに表示される赤信号用情報Ｘと、青信号のときに表示される青信号用情報Ｙと、青点滅信号のときに表示される青点滅信号用情報Ｚと、災害発生の信号を受信したときに表示される災害発生情報Ｐと、が記憶されている。
【００３０】
赤信号用情報Ｘは、広告、行政情報、映像コンテンツ等で構成される。本実施形態では、歩行者に出題する問題と、問題に対する解答が記憶されている。
【００３１】
青信号用情報Ｙは、青信号であることを認識させる情報で構成される。
【００３２】
青点滅信号用情報Ｚは、青信号から赤信号に切り替わることを認識させる情報で構成される。
【００３３】
災害発生情報Ｐは、災害が発生したときに必要となる、緊急速報、避難場所に関する情報で構成されている。
【００３４】
表示制御部２４は、表示手段２６の作動開始のタイミング、表示する情報の選択、情報の表示時間をコントロールする。
【００３５】
電源部２５は、制御手段２１及び表示手段２６に電気を供給するもので、図示しない、商用電源及びバッテリーに接続されている。停電が発生してもバッテリーから電気が供給されるので、停電時において表示手段２６で災害発生情報Ｐ、行政情報等を表示可能とされている。
【００３６】
表示手段２６は、本実施形態では屋外仕様の液晶ディスプレイ２６ａが用いられ、制御手段２１の表示制御部２４からの信号により、情報を表示する。
【００３７】
上記構成のサインポール１０の機能、作用を、図４に基づいて説明する。図４の黒丸付き実線は時間を、黒丸付き実線の上は、交通信号機３０に表示される信号を、黒丸付き実線の下は、サインポール１０に表示される情報を示す。
【００３８】
図４（ａ）に示すように、交通信号機３０から受信部２２に、赤信号の信号が送信されると、その信号を受信した時から青信号に切り替わるまでの間、表示制御部２４は、記憶部２３に記憶された赤信号用情報Ｘを選択し、表示手段２６が赤信号用情報Ｘを表示するように制御する。
【００３９】
交通信号機３０から受信部２２に、青信号の信号が送信されると、その信号を受信した時から青点滅信号に切り替わるまでの間、表示制御部２４は、記憶部２３に記憶された青信号用情報Ｙを選択し、表示手段２６に青信号用情報Ｙを表示するように制御する。
【００４０】
また、図４（ｂ）では、図４（ａ）の動作に加え、交通信号機３０から受信部２２に、青点滅信号が送信されると、青点滅から赤に切り替わるまでの間、表示制御部２４は、記憶部２３に記憶された青点滅信号用情報Ｚを選択し、表示手段２６に青点滅信号用情報Ｚを表示するように制御することとしている。
【００４１】
図４（ａ）、（ｂ）の動作パターンのときの表示手段２６の赤信号用情報Ｘの表示例として、図６〜８、１０に示すような、行政情報、企業の広告、クイズ等の映像コンテンツ等があげられる。
【００４２】
図６では、「行政情報」の文字のタイトルが表示され、その下に「市民の皆様の意見を募集します」との文字からなる行政情報が、赤信号用情報Ｘとして表示されることを示している。
【００４３】
図７では、「会社案内  ○コマーシャル  広告媒体として使用できます。」「□□□の技術が活躍しています」との文字からなる広告が、赤信号用情報Ｘとして表示されることを示している。
【００４４】
図８では、「道路標識クイズ」「○この標識の名前は？」「横風注意」「道路工事中」「下り勾配あり」との文字と、横風注意の道路標識の図形とからなる道路標識クイズが、赤信号用情報Ｘとして表示されることを示している。
【００４５】
図１０（ａ）、（ｂ）、（ｃ）では、道路標識クイズの一連の動画が赤信号用情報Ｘとして表示されることを示している。
【００４６】
また、青信号用情報Ｙの表示例としては、図５に示すような表示があげられる。図５では、枠内の各長方形が信号機の青信号の色と略同一の色で表示され、長方形の上側に「お渡り下さい」と文字で表示している。
【００４７】
また、青点滅信号のときに表示される青点滅信号用情報Ｚの表示例として、図１４に示すような、「信号が変わります」と文字で表示し、信号が赤から青に変わることを認識させるような表示があげられる。
【００４８】
さらに、図９（ａ）においては、交通信号機３０の赤信号と略同一の色の円形の図形と、「止まれ」の文字が赤信号用情報Ｘとして表示され、図９（ｂ）では、交通信号機３０の赤信号と略同一の色の円形及び矢印の図形が、青信号用情報Ｙとして表示されることを示している。
【００４９】
また、図４（ｃ）では、交通信号機３０から受信部２２に、赤信号の信号が送信されると、その信号を受信した時を基準時として所定時間の間、表示制御部２４は、記憶部２３に記憶された赤信号用情報Ｘ１を選択し、表示手段２６に赤信号用情報Ｘ１を表示するように制御する。基準時から所定時間が経過すると、表示制御部２４は、記憶部２３に記憶された赤信号用情報Ｘ２を選択し、表示手段２６に先の赤信号用情報Ｘ１とは異なるとともに関連する赤信号用情報Ｘ２を表示するように制御する。
【００５０】
また、図４（ｄ）では、図４（ｃ）の動作に加え、青点滅信号のときに、表示手段２６に青点滅信号用情報Ｚを表示することとしている。
【００５１】
図４（ｃ）、（ｄ）の動作パターンのときの表示手段２６の赤信号用情報Ｘ１、Ｘ２の表示例を以下に説明する。
【００５２】
図１１（ａ）では、サインポール１０の位置とその周辺の斜線で示された所定の領域が喫煙禁止領域である旨を示した地図が赤信号用情報Ｘ１として表示されている。図１１（ｂ）は、「喫煙禁止」の文字と、喫煙を禁止する意味をもつ図形が赤信号用情報Ｘ２として表示されている。これにより、赤信号用情報Ｘ１として表示された領域が、喫煙禁止であることが歩行者にわかることになる。
【００５３】
図１３（ａ）では、「○／○  夏祭り」の文字でイベントの告知情報が赤信号用情報Ｘ１として表示されている。図１３（ｂ）では、「１５：００  □□□おどり  １９：００  花火大会」の文字でイベントのプログラム情報が赤信号用情報Ｘ２として表示されている。
【００５４】
図１１、１３の表示例は、いずれも、赤信号用情報Ｘ１と、赤信号用情報Ｘ２とが異なり、かつ、内容的に関連する関係にある。
【００５５】
災害情報センター３５から受信部２２、災害発生の信号が送信されると、赤信号、青信号、青点滅信号であるかにかかわらず、表示制御部２４は、記憶部２３に記憶された災害発生情報Ｐを選択し、表示手段２６が災害発生情報Ｐを表示するように制御する。このときの表示例としては、図１２（ａ）に示す、「緊急速報」、図１２（ｂ）に示す、サインポール１０の位置と避難場所への避難ルートを示した地図があげられる。また、「地震発生」、「津波発生」等各種の災害に応じた情報とすることも可能である。
【００５６】
上記構成のサインポール１０は、道路や敷地の境界部分において仕切り又は車止めとして立設されるサインポールであって、交通信号機３０と接続され、表示される情報が記憶される制御手段２１と、制御手段２１と接続され制御手段２１に記憶された情報を表示する表示手段２６と、を備え、情報は、赤信号のときに表示される赤信号用情報Ｘ、Ｘ１、Ｘ２と、青信号のときに表示される青信号用情報Ｙと、を有する構成とされ、制御手段２１は、交通信号機３０から赤信号の信号を受信すると、表示手段２６に赤信号用情報Ｘ、Ｘ１、Ｘ２を表示させ、交通信号機３０から青信号の信号を受信すると、表示手段２６に赤信号用情報Ｘ、Ｘ１、Ｘ２とは異なる青信号用情報Ｙを表示させることとしている。
【００５７】
これにより、歩行者に対して、意味、内容を持たない点滅発光ではなく、何らかの意味、内容をもつ情報が表示されることになるので、赤信号の時に歩行者を引き留める効果が高くなり、赤信号時に横断歩道等に進入することを抑制することができる。さらに、赤信号のときに表示される赤信号用情報Ｘ、Ｘ１、Ｘ２と、青信号のときに表示される青信号用情報Ｙとが異なるので、信号が切り替わったことがわかりやすくなり、適切に歩行者の横断、信号待ちを補助することができる。
【００５８】
また、制御手段２１を、災害情報センター３５から災害発生の信号を受信可能とし、災害情報センター３５から災害発生の信号を受信したときに、情報の代わりに災害発生情報Ｐを表示させることとしているので、上記効果に加え、避難誘導を円滑に行なうことができる。
【００５９】
また、赤信号用情報Ｘ、Ｘ１、Ｘ２を、広告、行政情報、又は映像コンテンツとしているので、歩行者の関心を引くことができ、赤信号時に歩行者を引き留めることができる。
【００６０】
また、情報は、青点滅信号のときに表示される青点滅信号用情報Ｚを有する構成とされ、制御手段２１は、交通信号機３０から青点滅信号の信号を受信すると、表示手段２６に少なくとも青信号用情報Ｙとは異なる青点滅信号用情報Ｚを表示させることとしている。
【００６１】
これによれば、青点滅信号のときに、少なくとも青信号用情報Ｙとは異なる青点滅信号用情報Ｚが表示され、歩行者が青信号から赤信号に切り替わることを認識できるので、赤信号時に横断歩道等に進入することを抑制することに寄与する。
【００６２】
また、複数の赤信号用情報Ｘ１、Ｘ２が制御手段２１に記憶され、制御手段２１は、交通信号機３０から赤信号の信号を受信した時、又は当該時から所定時間経過した時を基準時として、基準時から表示手段２６に赤信号用情報Ｘ１を表示させ、基準時から所定時間経過した後に、表示手段２６に赤信号用情報Ｘ１とは異なる赤信号用情報Ｘ２を表示させることとしている。
【００６３】
これにより、基準時から所定時間経過した後に、赤信号用情報Ｘ１とは異なる赤信号用情報Ｘ２を表示させることにより、歩行者を飽きさせずに関心をひき続けることになるため、歩行者を引き留めることができる。
【００６４】
また、赤信号用情報Ｘ１と、赤信号用情報Ｘ２とを、内容的に関連させれば、歩行者の関心を強く引き付けることに寄与する。
【００６５】
また、赤信号用情報Ｘ１を問題とし、赤信号用情報Ｘ２を、問題に対する解答としているので、歩行者が問題を解こうとするので、歩行者を引き留める効果を高めることができる。
【００６６】
また、赤信号用情報Ｘ１を道路、施設、建物等の位置情報とし、赤信号用情報Ｘ２を、位置情報に関する案内情報としているので、歩行者の関心を引いて続きを見たいと思わせることができるので、歩行者を引き留める効果を高めることができる。
【００６７】
また、赤信号用情報Ｘ１をイベントの告知情報とし、赤信号用情報Ｘ２を、イベントのプログラム情報としているので、歩行者の関心を引いて続きを見たいと思わせることができるので、歩行者を引き留める効果を高めることができる。
【００６８】
本発明のサインポール１０は当該構成に限定されるものではない。即ち、本発明の要旨を逸脱しない限り各種の設計変更等が可能である。
【００６９】
例えば、赤信号用情報Ｘ、Ｘ１、Ｘ２、青信号用情報Ｙ、青点滅信号用情報Ｚとして表示されるものとしては、文字、図形、色彩、映像又はこれらを組み合わせたものであって、物事の内容や事情について歩行者に知らせることができるものであれば、上述した情報にはこだわらない。
【００７０】
また、図４（ｃ）、（ｄ）の動作パターンのときに、赤信号用情報Ｘ、Ｘ１とに二段階に分けて表示しているが、三段階以上に分けて表示することも可能である。
【００７１】
また、図４（ｂ）、（ｄ）の動作パターンのときに、青点滅信号用情報Ｚと赤信号用情報Ｘを、青点滅信号用情報Ｚと赤信号用情報Ｘ１、Ｘ２を、一連の情報として表示することも可能である。
【００７２】
また、交通信号機３０から赤信号の信号を受信した時から所定時間経過した時を基準時として、基準時から表示手段２６に赤信号用情報Ｘ、Ｘ１を表示させることも可能である。
【００７３】
また、サインポール１０は、合成樹脂以外の、金属、またはゴム等を用いて形成することができる。
【００７４】
例えば、合成樹脂、ゴムとして、ＰＣ、ＡＢＳ、ＰＰ、ＰＢＴ、ＳＭＣ、ＢＭＣ、｛ＦＲＯ系（繊維強化プラスチック）｝、ＰＭＭＡ（アクリル系）、ウレタン、塩化ビニル、再生プラスチック、ポリウレタンゴム、廃タイヤ、発泡ゴム、ポリエチレン等があげられる。
【００７５】
また、金属として、アルミニウム、アルミニウム合金、ステンレス、メッキ、耐腐食塗料を散布した鉄・銅・真鍮等があげられる。
【００７６】
また、サインポール１０は、図１５に示すように、基部１２をなくして、本体部１１のみで構成し、本体部１１の下部を設置場所Ｇの土中に埋めて設置することも可能である。
【００７７】
また、サインポール１０は、図１６に示すように、基部１２をなくして、本体部１１のみで構成し、設置場所Ｇに基礎コンクリート４０を敷設して、本体部１１の下部で基礎コンクリート４０と固定して設置することも可能である。
【００７８】
また、表示ユニット２０の取り付け位置に対応することになる前開口部１１ｂは、子供の目線に合わせた高さ（９０〜１３０ｃｍ程度）に設定することが望ましい。
【００７９】
また、液晶ディスプレイ２６ａをタッチパネル式のものを用いて、図６で説明した行政情報を、手でタッチして行政情報を選ぶプログラムを含む赤信号用情報Ｘとすることも可能である。同様に、液晶ディスプレイ２６ａをタッチパネル式のものを用いて、図７で説明した広告を、手でタッチして広告を選ぶプログラムを含む赤信号用情報Ｘとして表示されることを示している。
【００８０】
さらに、液晶ディスプレイ２６ａをタッチパネル式のものを用いて、図８で説明した道路標識クイズを、「横風注意」「道路工事中」「下り勾配あり」の文字部分に手でタッチして答えを選ぶプログラムを含む赤信号用情報Ｘとすることも可能である。
【符号の説明】
【００８１】
１０  サインポール
２１  制御手段
２６  表示手段
２６ａ  液晶ディスプレイ
３０  交通信号機
Ｐ  災害発生情報
Ｘ、Ｘ１、Ｘ２  赤信号用情報
Ｙ  青信号用情報
Ｚ  青点滅信号用情報
【図２】
2015114850.tif 000003
【図３】
2015114850.tif 000004
【図４】
2015114850.tif 000005
【図５】
2015114850.tif 000006
【図６】
2015114850.tif 000007
【図７】
2015114850.tif 000008
【図１２】
2015114850.tif 000009
【図１３】
2015114850.tif 000010
【図１４】
2015114850.tif 000011
【図１５】
2015114850.tif 000012
【図１６】
2015114850.tif 000013
【図１】
2015114850.tif 000014
【図８】
2015114850.tif 000015
【図９】
2015114850.tif 000016
【図１０】
2015114850.tif 000017
【図１１】
2015114850.tif 000018